(57)【特許請求の範囲】
【請求項１】
光軸方向に移動して焦点調節を行うレンズを含む光学系からの光像を撮像する撮像素子と、
前記撮像素子の反りに基づく情報を記憶する記憶部と、
前記撮像素子により撮像された前記光像の画像データを、前記情報により補正する補正部と、
を備える撮像装置。
【請求項２】
前記記憶部は、前記撮像素子の複数の領域ごとの前記情報を記憶し、
前記補正部は、前記画像データを、前記撮像素子の複数の領域ごとの前記情報により補正する請求項１に記載の撮像装置。
【請求項３】
前記撮像素子は、前記撮像素子の線膨張係数とは異なる線膨張係数を有する基板に実装されている請求項１または請求項２に記載の撮像装置。
【請求項４】
前記記憶部は、前記撮像素子の線膨張係数と前記基板の線膨張係数の差による、前記撮像素子の反りに基づく情報を記憶する
請求項３に記載の撮像装置。
【請求項５】
前記記憶部は、前記撮像素子の表面の曲率による、前記撮像素子の反りに基づく情報を記憶する請求項１から請求項４のいずれか一項に記載の撮像装置。
【請求項６】
前記記憶部は、前記撮像素子の撮像面と所定の基準面との変位量による、前記撮像素子の反りに基づく情報を記憶する請求項１から請求項４のいずれか一項に記載の撮像装置。
【請求項７】
前記撮像素子の撮影条件を設定する設定部と、
前記設定部により設定された撮影条件に応じて、前記補正部による前記画像データの補正を実行するか否か制御する制御部と、
を備える請求項１から請求項６のいずれか一項に記載の撮像装置。
【請求項８】
前記撮影条件はＩＳＯ感度であり、
前記制御部は、
前記ＩＳＯ感度の値に応じて、前記補正部による前記画像データの補正を実行するか否か制御する
請求項７に記載の撮像装置。
【請求項９】
前記撮影条件は撮影レンズのＦ値であり、
前記制御部は、
前記Ｆ値に応じて、前記補正部による前記画像データの補正を実行するか否か制御する請求項７に記載の撮像装置。
【請求項１０】
前記撮影条件はＩＳＯ感度とＦ値とであり、
前記制御部は、
前記ＩＳＯ感度とＦ値とに応じて、前記補正部による前記画像データの補正を実行するか否か制御する
請求項７に記載の撮像装置。
【請求項１１】
前記撮影条件は撮影モードであり、
前記制御部は、
前記撮影モードに応じて、前記補正部による前記画像データの補正を実行するか否か制御する
請求項７に記載の撮像装置。
【請求項１２】
前記制御部は、
前記反りの大きさと、撮影レンズの種類とＦ値で決まる焦点ズレ量と、に応じて、前記補正部による前記画像データの補正を実行するか否か制御する
請求項７から１１のいずれか１項に記載の撮像装置。
【請求項１３】
前記撮影条件がＩＳＯ感度である場合に、
前記制御部は、
前記ＩＳＯ感度が所定のＩＳＯ感度以下の場合に、前記補正部に前記画像データの補正を実行させ、
前記所定のＩＳＯ感度を超える場合に、前記補正部に前記画像データの補正を実行させない、
請求項８に記載の撮像装置。
【請求項１４】
前記所定のＩＳＯ感度は、シャッタースピードに応じて設定される
請求項１３に記載の撮像装置。
【請求項１５】
前記所定のＩＳＯ感度は、前記撮像素子の撮像面全体の反り大きさに応じて設定される請求項１３に記載の撮像装置。
【請求項１６】
前記所定のＩＳＯ感度は、前記撮像素子の撮像面全体の反り大きさと、撮影レンズの種類とＦ値に応じて決まる焦点ズレ量と、に応じて設定される
請求項１３に記載の撮像装置。
【請求項１７】
前記撮影条件がＦ値である場合に、
前記制御部は、
前記Ｆ値が所定の第１のＦ値以下の場合および所定の第２のＦ値を超える場合に、前記補正部に前記画像データの補正を実行させ、
前記Ｆ値が前記第１のＦ値を超え前記所定の第２のＦ値以下の場合に、前記補正部に前記画像データの補正を実行させない、
請求項９に記載の撮像装置。
【請求項１８】
前記所定の第１のＦ値と第２のＦ値は、撮像素子の撮像面全体の反りの大きさに応じて設定される
請求項１７に記載の撮像装置。
【請求項１９】
前記所定の第１のＦ値と第２のＦ値は、前記撮像素子の撮像面全体の反りの大きさと、撮影レンズの種類とＦ値に応じて決まる焦点ズレ量と、に応じて設定される
請求項１７に記載の撮像装置。
【請求項２０】
前記撮影条件がＩＳＯ感度とＦ値である場合に、
前記制御部は、
前記Ｆ値が所定の第１のＦ値以下であるかまたは所定の第２のＦ値を超える場合であって、かつ前記ＩＳＯ感度が所定のＩＳＯ感度以下である場合に、前記補正部に前記画像データの補正を実行させ、
前記Ｆ値が前記所定の第１のＦ値を超えるとともに前記所定の第２のＦ値以下である場合であって、かつ前記ＩＳＯ感度が所定のＩＳＯ感度以下の場合に、前記画像データの補正量を所定の割り合に減じて前記補正部に補正を実行させ、
前記Ｆ値が所定の第１のＦ値以下であるかまたは所定の第２のＦ値を超える場合であって、かつ前記ＩＳＯ感度が所定のＩＳＯ感度を超える場合に、前記画像データの補正量を所定の割り合に減じて前記補正部に補正を実行させ、
前記Ｆ値が前記所定の第１のＦ値を超えるとともに前記所定の第２のＦ値以下の場合であって、かつ前記ＩＳＯ感度が所定のＩＳＯ感度を超える場合に、前記補正部に前記画像データの補正を実行させない、
請求項１０に記載の撮像装置。
【請求項２１】
前記所定のＩＳＯ感度が、シャッタースピードに応じて設定される
請求項２０に記載の撮像装置。
【請求項２２】
前記所定の第１及び第２のＦ値と、前記所定のＩＳＯ感度とが、前記撮像素子の撮像面全体の反りの大きさに応じて設定される
請求項２０に記載の撮像装置。
【請求項２３】
前記所定の第１及び第２のＦ値と、前記所定のＩＳＯ感度とが、前記撮像素子の撮像面全体の反りの大きさと、撮影レンズの種類とＦ値により決まる焦点ズレ量と、に応じて設定される
請求項２０に記載の撮像装置。
【請求項２４】
前記画像データの補正が、シャープネスまたはアンシャープマスクにより行われる請求項１から２３のいずれか１項に記載の撮像装置。
【請求項２５】
光像を撮像する撮像素子と、
前記撮像素子の反りに基づく情報を記憶する記憶部と、
前記撮像素子により撮像された前記光像の画像データを、前記情報により補正する補正部と、
前記撮像素子の撮影条件を設定する設定部と、
前記設定部により設定された撮影条件により、前記補正部により前記画像データを補正するか否かを制御する制御部と、
を備える撮像装置。
【請求項２６】
前記記憶部は、前記撮像素子の複数の領域ごとの前記情報を記憶し、
前記補正部は、前記画像データを、前記撮像素子の複数の領域ごとの前記情報により補正する請求項２５に記載の撮像装置。
【請求項２７】
前記撮像素子は、前記撮像素子の線膨張係数とは異なる線膨張係数を有する基板に実装されている請求項２５または請求項２６に記載の撮像装置。
【請求項２８】
前記記憶部は、前記撮像素子の線膨張係数と前記基板の線膨張係数の差による、前記撮像素子の反りに基づく情報を記憶する
請求項２７に記載の撮像装置。
【請求項２９】
前記記憶部は、前記撮像素子の表面の曲率による、前記撮像素子の反りに基づく情報を記憶する請求項２５から請求項２８のいずれか一項に記載の撮像装置。
【請求項３０】
前記記憶部は、前記撮像素子の撮像面と所定の基準面との変位量による、前記撮像素子の反りに基づく情報を記憶する請求項１から請求項２８のいずれか一項に記載の撮像装置。
【請求項３１】
前記撮像素子の撮影条件を設定する設定部と、
前記設定部により設定された撮影条件に応じて、前記補正部による前記画像データの補正を実行するか否か制御する制御部と、
を備える請求項２５から請求項３０のいずれか一項に記載の撮像装置。
【発明の詳細な説明】
【技術分野】
【０００１】
本発明は、撮影レンズを透過した光束を撮像素子で撮像する撮像装置に関する。
【背景技術】
【０００２】
撮像素子（ＣＣＤ等）は、撮像素子パッケージに収納されて使用される。撮像素子（ＣＣＤ等）を基板に実装して撮像素子パッケージに収納する場合、基板、撮像素子、シール部材等の線膨張係数の差により、撮像素子（単に「チップ」とも呼ぶ）に反りが発生することがある。例えば、チップを基板にハンダ付けにより実装する際や、基板を樹脂（接着材等）によりパッケージに装着する際に発生する線膨張係数の差により、チップに反りが発生することがある。デジタルカメラ等の撮像装置では、撮像素子の撮像面（受光面）に反りがあると、部分的に焦点位置がずれるためピントボケが発生し、良好な画像を得ることができなくなる。
【０００３】
なお、関連する画像処理装置がある（例えば、特許文献１を参照）。この特許文献１の画像処理装置は、撮影レンズに起因した歪曲収差、倍率色収差、周辺光量不足およびピントボケの少なくとも１つの補正をする際、撮影レンズの撮影レンズタイプ識別コードが識別されない場合でも、均一かつ適切な前記収差の補正を忘れることなく確実に行うことのできる画像処理装置を提供することを目的としている。
【先行技術文献】
【特許文献】
【０００４】
【特許文献１】特開２０００−１８４２５７号公報
【発明の概要】
【発明が解決しようとする課題】
【０００５】
しかしながら、上述の特許文献１の画像処理装置のように、撮影レンズによってピントボケ補正を行ったとしても、そのピントボケ補正は、撮影レンズの特性による同心円状に変化するボケが補正の対象となる。しかしながら、撮像素子自体に発生している反りは同心円状とは限らず、歪んだ形状の場合もあれば、撮像素子の個体差により異なる場合もある。そのため、撮像素子自体に発生している反りに起因するピントボケを、撮影レンズだけの情報では、適切に減じることができないことがある。
【０００６】
本発明は、斯かる実情に鑑みなされたものであり、本発明の目的は、撮像素子の反りにより発生する画像のピントボケを減じることができる、撮像装置を提供することにある。
【課題を解決するための手段】
【０００７】
本発明は、上記課題を解決するためになされたものであり、本発明の撮像装置は、光軸方向に移動して焦点調節を行うレンズを含む光学系からの光像を撮像する撮像素子と、前記撮像素子の反りに基づく情報を記憶する記憶部と、前記撮像素子により撮像された前記光像の画像データを、前記情報により補正する補正部と、を備える。
また、本発明の撮像装置は、光像を撮像する撮像素子と、前記撮像素子の反りに基づく情報を記憶する記憶部と、前記撮像素子により撮像された前記光像の画像データを、前記情報により補正する補正部と、前記撮像素子の撮影条件を設定する設定部と、前記設定部により設定された撮影条件により、前記補正部により前記画像データを補正するか否かを制御する制御部と、を備える。
【発明の効果】
【０００８】
本発明は、撮像素子の反りにより発生する画像のピントボケを減じることができる。
【図面の簡単な説明】
【０００９】
【図１】本発明の実施形態に係わる撮像装置の構成を示すブロック図である。
【図２】撮像素子の反りの例を示す図である。
【図３】反り値に対してピントボケ補正値を求める例を示す図である。
【図４】ピントボケ補正の効果を示す図である。
【図５】撮像素子に反りがない場合の例を示す図である。
【図６】ＩＳＯ感度とシャッタースピードとでピントボケ補正を制御する例を示す図である。
【図７】Ｆ値でピントボケ補正を制御する例を示す図である。
【図８】ＩＳＯ感度とＦ値でピントボケ補正を制御する例を示す図である。
【図９】撮影モードでピントボケ補正を制御する例を示す図である。
【図１０】撮像素子パッケージの概略イメージを示す図である。
【図１１】撮像素子の反りの形状と反り値の例を示す図である。
【図１２】チップに反りがある場合のピントボケの発生の例を示す図である。
【発明を実施するための形態】
【００１０】
以下、本発明の実行の形態を添付図面を参照して説明する。
【００１１】
［撮像素子の反りについての説明］
最初に、撮像素子の反りによるピントボケの発生について補足して説明する。前述のように撮像素子（ＣＣＤ等）は、撮像素子パッケージに収納されて使用される。例えば、図１０は、撮像素子パッケージの概略イメージを示す図である。この図に示すように、撮像素子パッケージ３０は、撮像素子１１が実装された基板３１をシール部材３２に固着し、撮像素子１１と基板３１とをシール部材３２と保護ガラス３３と形成される容器内に収納して構成されている。このように、撮像素子１１を基板３１に実装して撮像素子パッケージ３０に収納する場合、基板、撮像素子、シール部材等の線膨張係数の差により、撮像素子（チップ）１１に反りが発生することがある。例えば、図１１（Ａ）は、チップ反りのイメージを示す図である。この図１１に示すように、撮像素子１１において、３次元形状のそれぞれの方向（直交するＸ，Ｙ，Ｚ軸方向）において反りが発生することがある。
【００１２】
また、図１１（Ｂ）は、撮像素子の反りのイメージを示す図であり、この図１１（Ｂ）は、図１１（Ａ）に示す撮像素子１１におけるＸ方向（Ａ−Ａ’方向）の断面図を示しており、撮像素子１１の反りの状態を模式的に示したものある。この図１１（Ｂ）に示すように、撮像素子１１の仮想的なチップ基準面Ｒｐを算出して、この基準面Ｒｐからの各所での高さ方向、すなわち、Ｚ方向の変位量（ΔＺ）を反りの値（反り値）とする。そして、基準面Ｒｐより上側をプラス（＋）、下側をマイナス（−）で定義する。このようにデジタルカメラ等の撮像装置では、撮像素子（チップ）１１を撮像素子パッケージに収納する際に撮像面（受光面）に反りが発生し、部分的に焦点位置がずれるためピントボケが発生し、良好な画像を得ることができないことがある。
【００１３】
例えば、図１２は、チップに反りがある場合のピントボケの発生の例を示す図である。図１２（Ａ）は、チップの反りの形状を示しており、図１２（Ｂ）は、撮像素子１１により撮像される画像を示している。
【００１４】
この図１２（Ａ）において、領域１の範囲は、撮像素子１１による反りが少なく画像への影響のない範囲であり、領域２の範囲は、撮像素子１１の反りが大きく画像への影響がある範囲である。この撮像素子１１の反りが大きい範囲では、図１２（Ｂ）の画像の例に示すように、領域２（破線Ｓで囲む部分）においてピントボケが発生し、良好な画像を得ることができなくなる。本実施形態の撮像装置では、この撮像素子１１の反りにより発生するピントボケを補正するものである。
【００１５】
［撮像装置の構成］
図１は、本発明の実施形態に係わる撮像装置の構成を示すブロック図である。図１に示す撮像装置は、デジタルカメラ等の電子カメラの構成例を示すものであり、本発明に直接関係する部分のみを示したものである。この撮像装置１０は、撮像素子１１を備える撮像部１１Ａと、光学系の撮影レンズ１２と、制御部１３と、記録部１４と、記憶部１５と、設定部１７と、信号処理用ＡＳＩＣ２０と、を有して構成されている。
【００１６】
撮像部１１Ａは、撮像素子１１およびＡ／Ｄ変換器（不図示）などを有し、撮像素子１１の受光面に結像された被写体像を受光量に応じて電気信号に変換し、さらにＡ／Ｄ変換後の画像データを信号処理用ＡＳＩＣ２０に出力する。
制御部１３は、撮像装置１０が備えるレリーズ釦等の各操作スイッチ（不図示）が操作されたことを検出して撮影レンズ１２の駆動を制御し、光学系における焦点検出／調節処理などを行う。また、制御部１３は、信号処理用ＡＳＩＣ２０との間で同期信号及び制御信号を入出力することにより、この信号処理用ＡＳＩＣ２０の動作を制御する。さらに、制御部１３は、信号処理用ＡＳＩＣ２０に対して反り補正制御信号Ｓｃを送信することにより、信号処理部２２（より正確にはピントボケ補正部２３）における反り補正処理（後述するピントボケ補正）の実行、不実行を制御する。記録部１４は、信号処理用ＡＳＩＣ２０により処理された画像データを記録する。
【００１７】
記憶部１５は、ピントボケ補正を行う際に使用する反り値を基に算出されたピントボケ補正値を記録する。例えば、撮像装置１０の組み立て工程または調整工程において、撮像素子１１の反り測定を行い、チップの反りの形状とその反り値を事前に取得し、この反り値からピントボケ補正値を算出し、この算出したピントボケ補正値１６を記憶部１５に記録する。信号処理部２２内のピントボケ補正部２３では、制御部１３からピントボケ補正の実行を指示された場合に、記憶部１５に記録されたピントボケ補正値１６を読み出して、撮像素子１１により撮影された画像に対してピントボケ補正を行う。
設定部１７は、電源ボタン、シャッターボタン、モード選択ダイヤル、メニューボタン、十字キーなどで構成される操作部を含む。利用者は、この設定部１７を操作することにより、シャッタースピードやＩＳＯ感度などの撮影条件、および撮影モードなどを設定する。この設定部１７において設定された撮影条件および撮影モードの情報は制御部１３に向けて出力される。
【００１８】
この撮像装置１０の撮像部１１Ａにおいて、撮影レンズ１２に入射される被写体光が、ＣＣＤである撮像素子１１上で結像される。撮像素子１１から出力される画像信号は、画像処理用のＡＳＩＣ２０に出力される。画像処理用のＡＳＩＣ２０に入力された画像信号は、前処理部２１に入力される。前処理部２１では、画像信号をデジタル信号に変換するとともに、ガンマ補正等の画像前処理を行ない、この前処理を施した画像信号を信号処理部（後処理部）２２に出力する。
【００１９】
信号処理部（後処理部）２２は、前処理部２１から入力した画像信号を基に表示用の画像データを生成する処理を行う。また、信号処理部２２は、ピントボケ補正部２３により、画像信号に対してピントボケ補正を行う。なお、ピントボケ補正部２３によるピントボケ補正を行う際には、一般的によく知られたシャープネス、アンシャープマスク等の手法を用いることによりピントボケ補正を行うことができる。
【００２０】
［反り値の取得とピントボケ補正値の算出］
本実施形態の撮像装置１０では、図２（Ａ）に示す撮像素子１１を、図２（Ｂ）に示すように複数の領域に区分して、各領域における反り値を測定する。
図２（Ｂ）は、図２（Ａ）に示す撮像素子（チップ）１１の撮像面（受光面）を上方向（Ｚ軸の＋方向）から見た平面図（Ｘ，Ｙ軸方向の平面図）を示しており、撮像素子１１の平面（受光面）をでｍ×ｎ（ｍ行、ｎ列）の複数の矩形状の領域に区分することにより、各領域における反り値を測定する。そして、各領域における中心位置ｐにおける反り値を測定し、この反り値を、当該領域における反り値とする。例えば、撮像素子１１の大きさ（チップサイズ）が４０×３０ｍｍの場合には、３５×２４分割などに区分して、各領域における反り値を計測する。
【００２１】
この反り値を測定する際には、例えば、レーザ干渉計を用いて、撮像素子１１に対して非接触で表面形状を測定することにより、高精度（例えば、ナノメートル単位やマイクロメートル単位）で反り値を取得することができる。この反り値は、先に説明した図１１（Ｂ）に示すように、仮想的な基準面Ｒｐに対する高低差、すなわち、プラス（＋）方向の変位量と、マイナス（−）方向の変位量として取得することができる。
【００２２】
本実施形態の撮像装置１０では、この測定した反り値を基に算出されたピントボケ補正値を記憶部１５に記憶する。このピントボケ補正値を算出する際には、図３に示すように、撮像装置１０の設計段階或いは開発段階において、反り値に対するピントボケ補正値の最適値を、実験式ｃを基に予め求めておく。そして、この実験式ｃを基に、各領域における反り値からピントボケ補正値を求めて、記憶部１５にピントボケ補正値１６として記憶する。なお、反り値が少ない場合、例えば、図３に示す領域１における反り値が、焦点ズレ量（人間の目の特性により焦点がずれても画像がピントボケしない範囲）の範囲内であれば、ピントボケ補正値をゼロ（０）とすることもできる。なお、この焦点ズレ量は、レンズの種類とＦ値（絞りの大小）により決まる値である。
【００２３】
ピントボケ補正部２３では、撮像素子１１で撮影された画像信号に対して、図２（Ｂ）に示すそれぞれの領域ごとに、記憶部１５からピントボケ補正値を読み出し、このピントボケ補正値を用いて画像に対してピントボケ補正を行う。このピントボケ補正部２３は、画像に対してシャープネスや、アンシャープマスクを行うことにより、輪郭の強調感やディテイルの再現性を調整し、ピントボケした部分をクッキリと再現する。
なお、ピントボケ補正部２３においてピントボケ補正（例えば、シャープネス）を実行する際に、ピントボケ補正値そそのまま用いて画像に対してピントボケ補正を行う他に、後述するようにピントボケ補正値の強度を弱めて（例えば、「ピントボケ補正値×０．６」とするようにピントボケ補正値を所定の割り合いに減じて）ピントボケ補正を行うこともできる。
【００２４】
図４は、ピントボケ補正の効果の例を示す図である。図４（Ａ）は、チップの反りがある場合のチップ形状を示す図であり、先に説明した図１２（Ａ）と同じ図である。この図４（Ａ）において、領域１の範囲は、チップによる反りが少なく画像への影響のない範囲である。すなわち、領域１の範囲では、反り値が焦点ズレ量の範囲内であり、画像にピントボケが発生しない。一方、領域２の範囲は、チップによる反りが大きく画像への影響がある範囲である。このチップによる反りが大きい領域２の範囲では、図４（Ｂ）の画像の例に示すように、ピントボケ（破線Ｓで囲む部分）が発生し、良好な画像を得ることができなくなる。そこで。ピントボケ補正部２３により、ピントボケ（破線Ｓで囲む部分）に対してピントボケ補正（例えば、シャープネス）を行い、図４（Ｃ）に示すようにピントボケをなくした画像を得ることができる。
【００２５】
このように、ピントボケ補正部２３により、撮像素子１１の反りに対してピントボケ補正を行うことにより、図５（Ａ）に示すように、撮像素子１１を等価的に反りのない状態にすることができ、図５（Ｂ）に示すピントボケをなくした画像を得ることができる。
【００２６】
なお、ピントボケ補正を実行する場合、反りが基準面Ｒｐに対してプラス（＋）側であっても、マイナス（−）側であってもピントボケするという現象は同じであり、前ピンか後ピンかの違いしかなく、反りの影響のある所をシャープネスやアンシャープマスクを用いて輪郭を強調することになる。
また、本実施形態の撮像装置１０では、撮像素子（チップ）１１の反りを基準面Ｒｐからの高低差（＋、−）により求めているが、チップ表面の曲率（曲がり具合）を基に反りを求めるようにしてもよい。
【００２７】
［ピントボケ補正の実行と不実行の制御］ 
上述したように画像に対してシャープネスや、アンシャープマスクを行うと、輪郭の強調感やディテイルの再現性が調整され、ピントボケした部分がクッキリと再現されるが、その反面、画像のノイズが目立ちやすくなる。このため、ピントボケ補正を行うことにより、ノイズが強調されて表示されることがあり、また、画像に不自然さが現れてしまうことがある。そこで、本実施形態の撮像装置１０では、毎回の撮影時において、必ずピントボケ補正を行うのではなく、ＩＳＯ感度、Ｆ値、シャッタースピード、および撮影モードなどの撮影条件に応じて、ピントボケ補正の実行と不実行を制御するように構成されている。
【００２８】
例えば、ノイズが多い高感度の撮影においてはピントボケ補正によりノイズが目立って表示される可能性高い。従って、ノイズが少ない低感度の撮影みで補正を実行することを可能とし、また、ピントボケ補正の強度も調整可能する。また、被写界深度が深い（Ｆ値が大きい）場合、主要被写体はもちろん、背景にもピントがあっているシーンが多くなるため、チップの反りがあると、反りによるピントボケが目立つ可能性がある。従って、Ｆ値が大きい場合は、補正を実行し、被写界深度が浅い（Ｆ値が小さい）場合は、補正を実行しない、というような制御も可能とする。また、撮影モードの種類により、ＩＳＯ感度が高め、低めになる場合や、撮影レンズのＦ値が大きめ、小さめになる場合があるので、撮影モードによってピントボケ補正の実行、未実行、および補正の強度を制御できるようにする。
【００２９】
（ＩＳＯ感度とシャッタースピードに応じたピントボケ補正）
図６は、ＩＳＯ感度とシャッタースピードに応じてピントボケ補正を実行するか否かを表で示したものであり、シャープネスによりピントボケ補正を場合の例である。この図６に示す表は、横方向にＩＳＯ感度をパラメータとして示し、縦方向にシャッタースピードＴをパラメータとして示したものである。また、表中の○印はピントボケ補正を実行することを示し、×印はピントボケ補正を実行しないこと（不実行）を示している。
【００３０】
この表に示すように、シャッタースピードＴが低速秒時、すなわち、シャッタースピードが１／８ｓｅｃよりも長い時は、ＩＳＯ感度が４００以下の場合にピントボケ補正を実行し、ＩＳＯ感度が４００を超える場合はピントボケ補正を実行しない。また、シャッタースピードＴが高速秒時（１／８ｓｅｃ以下）の時は、ＩＳＯ感度が８００以下の場合にピントボケ補正を行い、ＩＳＯ感度が８００を超える場合ではピントボケ補正を実行しない。
【００３１】
これは、ピントボケ補正を実行することにより画像のノイズも強調されることがあり、ノイズが多い高感度ではピントボケ補正によりノイズが目立つ可能性高い。従って、ノイズが少ない低感度のみでピントボケ補正を実行することを可能とし、また、ピントボケ補正の強度も調整可能にする。この場合、シャッタースピードＴにより像面の露光量が変化するので、露光量の多い場合（１／８ｓｅｃ以上）は、ＩＳＯ感度４００以下でピントボケ補正を実行し、露光量の少ない場合（１／８ｓｅｃ以下）は、ＩＳＯ感度８００以下でピントボケ補正を実行する。すなわち、露光量の多い場合のＩＳＯ感度（判定基準となるＩＳＯ感度）を、露光量の少ない場合のＩＳＯ感度よりも低めに設定する。
【００３２】
このように、ＩＳＯ感度とシャッタースピードＴとに応じて、ピントボケ補正を実行するか否かを選択することにより、画像のノイズが目立ちやすくなることを回避しながら、チップの反りによるピントボケを補正することができる。
なお、ピントボケ補正を実行する際には、ピントボケ補正値の強度を弱めて、ピントボケ補正を行うこともできる。例えば、シャッタースピードＴが１／８より長い場合（Ｔ＞１／８ｓｅｃ）において、ピントボケ補正を実行しないＩＳＯ感度８００の場合は、ピントボケ補正を実行するＩＳＯ感度４００の領域に隣接しており、このＩＳＯ感度８００の場合において、ピントボケ補正の強度を弱めて（例えば、「ピントボケ補正値×０．６」とするようにピントボケ補正値を所定の割り合いに減じて）補正するようにしてもよい。
【００３３】
なお、図６に示す表は一例を示すものであり、ピントボケ補正を実行するか否かを判定する際の境界となるＩＳＯ感度は、撮像素子の反り値の範囲、撮影レンズの種類とＦ値できまる焦点ズレ量等に応じて変更される得るものである。
例えば、撮像素子の撮像面全体の反り値の範囲（反りの最大値と最小値の範囲）が小さい場合は、ピントボケ補正値が小さくなり、ピントボケ補正によるノイズが目立つことが少なくなるため、ピントボケ補正を実行するか否かの判定基準（境界）となるＩＳＯ感度を上げることができる。逆に、撮像素子の反り値の範囲が大きい場合は、ピントボケ補正量が大きくなり、ピントボケ補正によるノイズが目立つことが多くなるため、判定基準（境界）となるＩＳＯ感度を低下させる必要がある。
このように、ピントボケ補正を実行するか否かを判定する際の判定基準（境界）となるＩＳＯ感度を、撮像素子１１の撮像面全体の反り値の範囲に応じて設定することができる。
【００３４】
また、判定基準（境界）となるＩＳＯ感度は、撮影レンズの焦点ズレ量（人間の目の特性により焦点がずれても画像がピントボケしない範囲）と撮像素子の全体の反り値の範囲（反りの最大値と最小値の範囲）により変化させることもできる。これは、焦点ズレ量が大きい程、また、反り値の範囲が小さい程、ピントボケ補正値を小さくできるためである。このように、ピントボケ補正を実行するか否かを判定する際の基準（境界）となるＩＳＯ感度を、撮影レンズ１２の焦点ズレ量と、撮像素子１１の全体の反り値の範囲とに応じて設定することもできる。
【００３５】
（Ｆ値に応じたピントボケ補正）
また、図７は、Ｆ値に応じてピントボケ補正を実行するか否かを表で示したものである。この図７に示す表は、横方向にＦ値をパラメータとして示し、このＦ値に応じて、ピントボケ補正を実行するか否かを示したものである。また、表中の○印はピントボケ補正を実行することを示し、×印はピントボケ補正を実行しないこと（不実行）を示している。
この表に示すように、Ｆ値が２．８以下の場合と、Ｆ値がＦ８を超える場合には、ピントボケ補正を実行し、Ｆ値がＦ４を超えＦ８以下の場合は、ピントボケ補正を実行しない。
【００３６】
すなわち、撮影レンズ絞りの開放と絞りの両端側でピントボケ補正を実行し、中間においては実行しない。これは、開放側（Ｆ値が小さい側）ではチップ反りによるピントボケの発生が目立つことが経験的に知られており、Ｆ値が２．８以下の場合には、ピントボケ補正を実行する。一方、絞り側（Ｆ値が大きい）では被写界深度が深くなることにより鮮明な画像が得られることがユーザから期待されるが、被写界深度が深い（Ｆ値が大きい）場合、主要被写体はもちろん、背景にもピントがあっているシーンが多くなるため、チップの反りがあると、反りによるピントボケが目立つ可能性がある。従って、Ｆ値が大きい場合（Ｆ値がＦ８を超える場合）にはピントボケ補正を実行する。
【００３７】
このように、写界深度が浅い（Ｆ値が小さい）場合と、被写界深度が深い（Ｆ値が大きい）場合には、ピントボケ補正を実行し、その中間域ではピントボケ補正を実行しないようにすることにより、画像のノイズが目立ちやすくなることを回避しながら、チップの反りにより発生するピントボケを補正することができる。
【００３８】
なお、図７に示す表は、一例を示すものであり、ピントボケ補正を実行するか否かを判定する際の基準（境界）となるＦ値は、撮像素子の反り値の範囲と焦点ズレ量に応じて設定することもできる。
例えば、撮像素子の撮像面全体の反り値の範囲が小さい場合は、ピントボケ補正値が小さくなり、ピントボケ補正によるノイズや不自然さが目立つことが少なくなるため、ピントボケ補正を実行することができるＦ値の範囲を拡大することができる。このように、ピントボケ補正を実行するか否かを判定する際の基準（境界）となるＦ値を、撮像素子１１の撮像面全体の反り値の大きさに応じて最適に設定することができる。
【００３９】
また、Ｆ値は、撮影レンズの焦点ズレ量と撮像素子の全体の反り値（最大と最小の反り値の範囲）により変化させることもできる。これは、焦点ズレ量が大きい程、また、反り値の範囲の範囲が小さい程、ピントボケ補正値が小さくなり、ピントボケ補正を行った際にノイズが強調されることが少なくなり、また不自然さが目立つことが少なくなるためである。このため、焦点ズレ量が大きい程、また、反り値の範囲の範囲が小さい程、ピントボケ補正を実行することができるＦ値の範囲を拡大することができる。このように、ピントボケ補正を実行するか否かを判定する際の基準（境界）となるＦ値を、焦点ズレ量と、撮像素子１１の全体の反り値の範囲に応じて、設定することもできる。
【００４０】
（ＩＳＯ感度とＦ値とに応じたピントボケ補正）
また、図８は、ＩＳＯ感度とＦ値に応じてピントボケ補正を実行するか否かを表で示したものである。図８（Ａ）は、シャッタースピードＴが低速秒時（シャッタースピードが１／８ｓｅｃよりも長い場合）を示し、図８（Ｂ）は、シャッタースピードＴが高速秒時（シャッタースピードが１／８ｓｅｃ以下の場合）を示している。図８（Ａ）および図８（Ｂ）に示す表においては、横方向にＦ値をパラメータとして示し、縦方向にＩＳＯ感度をパラメータとして示し、これらのＦ値とＩＳＯ感度とに応じて、ピントボケ補正を実行するか否かを示している。また、表中の○印はピントボケ補正を実行することを示し、×印はピントボケ補正を実行しないこと（不実行）を示し、△印は、ピントボケ補正を実行する際に、ピントボケ補正値の強度を弱めて（例えば、「ピントボケ補正値×０．６」とするようにピントボケ補正値を所定の割り合いに減じて）ピントボケ補正を実行することを示している。
【００４１】
図８（Ａ）に示す低速秒時、すなわちシャッタースピードが１／８ｓｅｃよりも長い時は、Ｆ値がＦ２．８以下であるかまたはＦ８を超える場合であって、かつＩＳＯ感度が４００以下である場合に、ピントボケ補正を実行する。また、Ｆ値がＦ２．８を超えるとともにＦ８以下である場合であって、かつＩＳＯ感度が４００以下の場合に、ピントボケ補正値の強度を弱めて（ピントボケ補正値を所定の割り合に減じて）ピントボケ補正を実行する。また、Ｆ値がＦ２．８以下であるかまたはＦ８を超える場合であって、かつＩＳＯ感度が４００を超える場合に、ピントボケ補正値の強度を弱めて（ピントボケ補正値を所定の割り合に減じて）ピントボケ補正を実行する。また、Ｆ値がＦ２．８を超えるとともにＦ８以下の場合であって、かつＩＳＯ感度が４００を超える場合に、ピントボケ補正を実行しない。
【００４２】
また、図８（Ｂ）に示す高速秒時、すなわちシャッタースピードが１／８ｓｅｃ以下の時は、Ｆ値がＦ２．８以下であるかまたはＦ８を超える場合であって、かつＩＳＯ感度が８００以下である場合に、ピントボケ補正を実行する。また、Ｆ値がＦ２．８を超えるとともにＦ８以下である場合であって、かつＩＳＯ感度が８００以下の場合に、ピントボケ補正値の強度を弱めて（ピントボケ補正値を所定の割り合に減じて）ピントボケ補正を実行する。また、Ｆ値がＦ２．８以下であるかまたはＦ８を超える場合であって、かつＩＳＯ感度が８００を超える場合に、ピントボケ補正値の強度を弱めて（ピントボケ補正値を所定の割り合に減じて）ピントボケ補正を実行する。また、Ｆ値がＦ２．８を超えるとともにＦ８以下の場合であって、かつＩＳＯ感度が８００を超える場合に、ピントボケ補正を実行しない。
このように、ピントボケ補正部２３においてピントボケ補正を実行するか否かを、ＩＳＯ感度とＦ値とを基に判定することができる。また、判定に用いるＩＳＯ感度をシャッタースピードに応じて変化させることができる。
【００４３】
なお、図８に示す表は、一例を示すものであり、ピントボケ補正を実行するか否かを判定する際の基準（境界）となるＩＳＯ感度とＦ値は、図６および図７の場合と同様に、撮像素子の反り値の範囲と、焦点ズレ量とに応じて変更される得るものである。
【００４４】
（撮影モード応じたピントボケ補正）
また、図９は、撮影モードに応じたピントボケ補正の実行の有無を表で示した図である。この図９に示す表では、撮影モード（撮影対象）として、ポートレイト、風景、子供のスナップ、スポーツ、及び夜景を撮影する場合は、ピントボケ補正を実行し、マクロ、料理、及びペットを撮影する場合は、ピントボケ補正を実行しない。これは、撮影モードの種類により、ＩＳＯ感度が高め、低めになる場合や、また、Ｆ値が大きめ、小さめになる場合があるので、撮影モードによってピントボケ補正の実行、不実行の制御、及びピントボケ補正の強度を制御できるようにする。このように、撮影モード（撮影対象）に応じて、ピントボケ補正を実行するか否かを決定することにより、ノイズや不自然さが目立つことがないと推測される撮影モードを選択して、ピントボケ補正を実行することができる。
【００４５】
なお、撮影モード（撮影対象）の選択は、例えば、メニュー設定ボタン（例えば、ダイヤルボタン等）やメニュー画面により、カメラを操作するユーザにより行われるものである。
また、図９に示す表は、一例を示すものであり、撮像装置の構成、撮影レンズの種類、撮像素子のチップサイズ等に応じて、ピントボケ補正を実行するか否かを決定する撮影モードは変更される得るものである。
【００４６】
（焦点ズレ量と反り値の範囲とに応じたピントボケ補正）
以上、種々の撮影条件（ＩＳＯ感度、Ｆ値、撮影モード）を基にピントボケ補正を実行するか否かを制御する例について説明したが、ここで、焦点ズレ量と反り値の範囲とに応じたピントボケ補正について補足して説明する。
【００４７】
撮像装置においては、撮影レンズの光量を絞りにより調整してＦ値を調整することができる。このＦ値が変更されることにより、焦点の前後で画像として鮮明に撮影できる範囲が変化し、撮像素子（チップ）１１上の像面（受光面）のピント幅（焦点ズレ量）が変化する。例えば、Ｆ値を大きくする（絞り穴を小さくする）ことにより、焦点ズレ量が増加する。従って、撮像素子（チップ）１１の反り値が焦点ズレ量の範囲内であれば、ピントボケは発生しない。
【００４８】
このため、撮像素子１１上のある領域において、反り値が焦点ズレ量の範囲内であれば、ピントボケ補正を実行する必要がなくなる。そして、チップの反り値が焦点ズレ量の範囲外の場合に、上述した、ＩＳＯ感度、Ｆ値、および撮影モードなどの撮影条件を基に、ピントボケ補正を実行するか否かを判定することになる。
このように、反り値が焦点ズレ量の範囲内であれば、ピントボケ補正を実行せず、反り値が焦点ズレ量の範囲を超える場合にのみ、ＩＳＯ感度等の撮像条件に従いピントボケ補正を実行するか否かを判定することができる。
【００４９】
以上説明したように、本実施形態の撮像装置１０では、ピントボケ補正部２３により、撮像素子１１の反りに対してピントボケ補正を行うことにより、ピントボケをなくした画像を得ることができる。特に、ＤＳＬＲ（Ｄｉｇｉｔａｌ  Ｓｉｎｇｌｅ  Ｌｅｎｓ  Ｒｅｆｌｅｘ  ｃａｍｅｒａ；デジタル一眼レフカメラ）のように大型のセンサチップを使用する場合、反りも大きくなる。また、技術の進歩とともに画素が微細化され、ピントボケが与える響が大きくなってきている。このような場合に、本実施形態の構成を用いることにより、ピントボケを効果的に低減することができる。
【００５０】
以上、本発明の実施形態について説明したが、ここで、本発明と上記実施形態との対応関係について補足して説明する。上記実施形態において、本発明における撮像装置は、図１に示す撮像装置１０が対応し、本発明における撮像素子は撮像素子（チップ）１１が対応し、本発明における撮像部は、撮像素子１１と含み、被写体の像を検出し、この被写体の画像データを出力する撮像部１１Ａが対応する。また、本発明における制御部は、制御部１３が対応し、本発明における補正部は、信号処理用ＡＳＩＣ２０内のピントボケ補正部２３が対応する。また、本発明における記憶部は、記憶部１５が対応し、本発明における設定部は、設定部１７が対応する。また、本発明における反りに関する情報は、反り値と、この反り値を基に算出されるピントボケ補正値と、が対応する。
【００５１】
（１）そして、上記実施形態において、撮像装置１０は、光電変換機能を有する撮像素子１１を備え、画像データを生成する撮像部１１Ａと、撮像素子１１の撮像面の法線方向における反りに関する情報を記憶する記憶部１５と、上記情報に基づいて、画像データを補正する補正部（ピントボケ補正部２３）と、を備える。
このような構成の撮像装置１０では、撮像装置の組み立て工程や調整工程等において、撮像素子（チップ）の反り値を測定する。そして、この反り値からピントボケの補正値を算出し、このピントボケ補正値を撮像装置１０の記憶部１５に予め記憶させておく。そして、撮影された画像に対して、上記記憶部１５に記憶したピントボケ補正値を用いてピントボケ補正を行う。ピントボケ補正を行う際には、周知のシャープネスやアンシャープマスクの手法を使用する。
これにより、撮像素子の反りにより発生する画像のピントボケを減じることができる。
【００５２】
（２）また、上記実施形態において、記憶部１５は、撮像面の複数の領域ごとに上記情報を記憶し、補正部（ピントボケ補正部２３）は、領域ごとに記憶された上記情報に基づいて、領域に対応する画像データを補正する。
このような構成の撮像装置１０では、撮像装置の組み立て工程や調整工程等において、撮像素子（チップ）の各領域における反り値を測定する。そして、この反り値からピントボケの補正値を算出し、このピントボケ補正値を撮像装置１０の記憶部１５に予め記憶させておく。そして、撮影された画像の各領域ごとに、上記記憶部１５に記憶したピントボケ補正値を用いてピントボケ補正を行う。ピントボケ補正を行う際には、周知のシャープネスやアンシャープマスクの手法を使用する。
これにより、撮像素子の反りにより発生する画像のピントボケを減じることができる。
【００５３】
（３）また、上記実施形態において、撮像装置１０は、撮像部１１Ａの撮影条件を設定する設定部１７と、設定部１７により設定された撮影条件に応じて、補正部（ピントボケ補正部２３）による画像データの補正を実行するか否か制御する制御部１３と、を備える。
このような構成の撮像装置１０では、制御部１３が、撮影条件（例えば、ＩＳＯ感度、Ｆ値、撮影モード等）に応じて、ピントボケ補正部２３においてピントボケ補正を実行するか否かを制御する。ピントボケの補正方法としては、シャープネスやアンシャープマスク等が良く知られているが、これらの方法を使ってピントボケ補正を行うと、ノイズが強調されることがあり、また、不自然さが目立つことがある。そこで、毎回の撮影おいて必ず補正を行うのではなく、撮影条件に応じて、ピントボケ補正の実行、不実行、またはピントボケ補正の強度を制御する。
これにより、撮影条件に応じて、ピントボケ補正を実行するか否かを制御することができる。このため、ピントボケ補正により画像のノイズが強調されることや、不自然さが目立ってしまうことを回避できる。
【００５４】
（４）また、上記実施形態において、撮影条件はＩＳＯ感度であり、制御部１３は、ＩＳＯ感度の値に応じて、補正部（ピントボケ補正部２３）による画像データの補正を実行するか否か制御する。
このような構成の撮像装置１０では、例えば、ＩＳＯ感度が低い場合、すなわち、ノイズが少ない低感度のみでピントボケ補正を実行する。
これにより、ＩＳＯ感度が高く、画像のノイズが多く含まれる場合に、ピントボケ補正により画像のノイズが強調されることや、不自然さが目立ってしまうことを回避できる。
【００５５】
（５）また、上記実施形態において、撮影条件は撮影レンズのＦ値であり、制御部１３は、Ｆ値に応じて、補正部（ピントボケ補正部２３）による画像データの補正を実行するか否か制御する。
このような構成の撮像装置１０では、Ｆ値の大小（画像の明るさと被写界深度）に応じて、ピントボケ補正部２３おいてピントボケ補正を実行するか否かを制御する。
これにより、例えば、Ｆ値が小さい場合、すなわち、被写界深度（より正確には焦点ズレ量）が小さく撮像素子１１の反りによるピントボケが発生しやすい場合に、このピントボケを補正することができる。
【００５６】
（６）また、上記実施形態において、撮影条件はＩＳＯ感度とＦ値とであり、制御部１３は、ＩＳＯ感度とＦ値とに応じて、補正部（ピントボケ補正部２３）による画像データの補正を実行するか否か制御する。
このような構成の撮像装置１０では、ＩＳＯ感度の高低と、Ｆ値の大小に応じて、ピントボケ補正部２３においてピントボケ補正を行うか否かを制御する。
これにより、ＩＳＯ感度とＦ値の両方のパラメータを基にして、ピントボケ補正部２３においてピントボケ補正を行うか否かをきめ細かく制御することができる。
【００５７】
（７）また、上記実施形態において、撮影条件は撮影モードであり、制御部１３は、撮影モードに応じて、補正部（ピントボケ補正部２３）による画像データの補正を実行するか否か制御する。
このような構成の撮像装置１０では、撮影モードに応じて、ピントボケ補正部２３においてピントボケ補正を実行するか否かを制御する。これは、撮影モードの種類により、ＩＳＯ感度が高めまたは低めに設定されることがあり、また、撮影レンズのＦ値が大きめまたは小さめに設定されることがあるので、撮影モードによってピントボケ補正の実行、不実行、あるいはピントボケ補正の強度を制御できるようにする。
これにより、撮影モードを選択することにより、この撮影モードに応じてピントボケのない鮮明な画像を得ることができる。
【００５８】
（８）また、上記実施形態において、制御部１３は、反りの大きさと、撮影レンズの種類とＦ値で決まる焦点ズレ量と、に応じて、補正部（ピントボケ補正部２３）による画像データの補正を実行するか否か制御する。
このような構成の撮像装置１０では、反り値の範囲が、撮影レンズ１２の種類とＦ値で決まる焦点ズレ量を超える場合に、上記撮像条件に従いピントボケ補正を実行するか否かを制御する。撮像装置１０においては、撮影レンズの光量を絞りにより調整してＦ値を調整することができる。このＦ値が変更されることにより、焦点の前後で画像として鮮明に撮影できる範囲が変化し、撮像素子（チップ）１１上での像面のピント幅（焦点ズレ量）が変化する。従って、撮像素子１１の反り値が焦点ズレ量の範囲内であれば、ピントボケは発生しない。このため、撮像素子１１上のある領域において、反り値が焦点ズレ量の範囲内であれば、ピントボケ補正を実行せず、反り値が焦点ズレ量の範囲外の場合に、上記撮像条件に従いピントボケ補正を実行する。
これにより、反り値の範囲が焦点ズレ量の範囲内であれば、ピントボケ補正を実行しないようにできる。
【００５９】
（９）また、上記実施形態において、撮影条件がＩＳＯ感度である場合に、制御部１３は、ＩＳＯ感度が所定のＩＳＯ感度以下の場合に、補正部（ピントボケ補正部２３）に画像データの補正を実行させ、所定のＩＳＯ感度を超える場合に、補正部（ピントボケ補正部２３）に画像データの補正を実行させない。
このような構成の撮像装置１０では、ＩＳＯ感度が所定のＩＳＯ感度以下の場合にピントボケ補正部２３にピントボケ補正を実行させる。ピントボケ補正はノイズを強調する効果もあるので、ノイズが多い高感度では補正によりノイズが目立つ可能性が高い。従って、ノイズが少ない低感度のみで補正を実行することを可能とし、また強度も調整可能にする。
【００６０】
（１０）また、上記実施形態において、所定のＩＳＯ感度は、シャッタースピードに応じて設定される。
このような構成の撮像装置１０では、ピントボケ補正を行うか否かを判定するＩＳＯ感度を、シャッタースピードに応じて設定する。これは、撮像素子１１の露光量はＩＳＯ感度とシャッタースピードに応じて決まるので、シャッタースピードの遅い場合（露光量の多い場合）には、ピントボケ補正を行うか否かを判定するＩＳＯ感度を低めに設定する。
これにより、シャッタースピードに応じて、ピントボケ補正を行うか否かを判定するＩＳＯ感度を設定することができる。このため、ピントボケ補正によりノイズが強調されることを回避できる。
【００６１】
（１１）また、上記実施形態において、上記所定のＩＳＯ感度は、撮像素子１１の撮像面全体の反り大きさに応じて設定される。
このような構成の撮像装置１０では、ピントボケ補正を行うか否かを判定する基準となるＩＳＯ感度を、撮像素子１１の撮像面全体の反り値の範囲（反りの最大値と最小値の範囲）に応じて設定する。これは、反り値の範囲が小さい程、ピントボケ補正を実行する際に用いるピントボケ補正値が少なくなり、ピントボケ補正による画像ノイズが強調されにくくなる。このため、ピントボケ補正を行う判定基準（境界）となるＩＳＯ感度の値を大きくすることができる。
これにより、ピントボケ補正を行う判定基準（境界）となるＩＳＯ感度を、撮像素子１１の反り値の範囲に応じて、最適に設定することができる。
【００６２】
（１２）また、上記実施形態において、上記所定のＩＳＯ感度は、撮像素子１１の撮像面全体の反り大きさと、撮影レンズの種類とＦ値に応じて決まる焦点ズレ量と、に応じて設定される。
このような構成の撮像装置１０では、ピントボケ補正を行うか否かを判定する基準となるＩＳＯ感度を、撮像素子１１の撮像面全体の反り値の範囲と、撮影レンズ１２の焦点ズレ量と、により設定する。これは、焦点ズレ量が大きい程、また、反り値の範囲（反りの最大値と最小値の範囲）が小さい程、ピントボケ補正を実行する際に用いるピントボケ補正値が少なくなり、ピントボケ補正による画像ノイズが強調されにくくなる。このため、ピントボケ補正を行う判定基準（境界）となるＩＳＯ感度の値を大きくすることができる。
これにより、ピントボケ補正を行う判定基準（境界）となるＩＳＯ感度を、撮像素子１１の反り値の範囲と、撮影レンズ１２の焦点ズレ量とに応じて、最適に設定することができる。
【００６３】
（１３）また、上記実施形態において、撮像装置１０は、撮影条件がＦ値である場合に、制御部１３は、Ｆ値が所定の第１のＦ値以下の場合および所定の第２のＦ値を超える場合に、補正部（ピントボケ補正部２３）に画像データの補正を実行させ、Ｆ値が第１のＦ値を超え所定の第２のＦ値以下の場合に、補正部（ピントボケ補正部２３）に画像データの補正を実行させない。
このような構成の撮像装置１０では、撮影条件がＦ値である場合に、制御部１３は、図７に示すように、Ｆ値が所定の第１のＦ値（Ｆ２．８）以下の場合および所定の第２のＦ値（Ｆ８）を超える場合に、ピントボケ補正部２３にピントボケ補正を実行させ、Ｆ値が第１のＦ値（Ｆ２．８）を超え所定の第２のＦ値（Ｆ８）以下の場合に、ピントボケ補正部２３にピントボケ補正を実行させない。これは、開放側（Ｆ値が小さい側）ではチップ反りによるピントボケの発生が目立つことが経験的に知られており、Ｆ値が２．８以下の場合には、ピントボケ補正を実行する。一方、絞り側（Ｆ値が大きい）では被写界深度が深くなることにより鮮明な画像が得られることがユーザから期待されるが、被写界深度が深い（Ｆ値が大きい）場合、主要被写体はもちろん、背景にもピントがあっているシーンが多くなるため、撮像素子１１の反りがあると、反りによるピントボケが目立つ可能性がある。従って、Ｆ値が大きい場合（絞り側のＦ値がＦ８を超える場合）にはピントボケ補正を実行する。
このように、写界深度が浅い（Ｆ値が小さい）場合と、被写界深度が深い（Ｆ値が大きい）場合には、ピントボケ補正を実行し、その中間域ではピントボケ補正を実行しないように制御することにより、画像のノイズが目立ちやすくなることを回避しながら、チップの反りにより発生するピントボケを補正することができる。
【００６４】
（１４）また、上記実施形態において、上記所定の第１のＦ値と第２のＦ値は、撮像素子１１の撮像面全体の反りの大きさに応じて設定される
このような構成の撮像装置１０では、第１のＦ値と第２のＦ値を、撮像素子１１の反り値の範囲に応じて設定する。これは、撮像素子１１の撮像面全体の反り値の範囲（反りの最大値と最小値の範囲）が小さい場合は、反り値が撮影レンズとＦ値とで決まる焦点ズレ量（画像が鮮明に見える範囲）の範囲内に収まることが多くなる。このため、ピントボケ補正を実行する際に用いるピントボケ補正値が少なくなり、ピントボケ補正による画像ノイズが強調されにくくなる。このため、ピントボケ補正を実行することができるＦ値の範囲を拡大することができる。
【００６５】
（１５）また、上記実施形態において、上記所定の第１のＦ値と第２のＦ値は、撮像素子１１の撮像面全体の反りの大きさと、撮影レンズ１２の種類とＦ値に応じて決まる焦点ズレ量と、に応じて設定される。
このような構成の撮像装置１０では、ピントボケ補正を行うか否かを判定する基準となるＦ値を、撮像素子１１の反り値の範囲と、撮影レンズ１２の焦点ズレ量と、により設定する。これは、焦点ズレ量が大きい程、また、反り値の範囲が小さい程、反り値が撮影レンズとＦ値とで決まる焦点ズレ量の範囲内に収まることが多くなる。このため、ピントボケ補正を実行する際に用いるピントボケ補正値が少なくなり、ピントボケ補正による画像ノイズが強調されにくくなる。このため、ピントボケ補正を実行することができるＦ値の範囲を拡大することができる。
【００６６】
（１６）また、上記実施形態において、撮影条件がＩＳＯ感度とＦ値である場合に、制御部１３は、Ｆ値が所定の第１のＦ値（Ｆ２．８）以下であるかまたは所定の第２のＦ値（Ｆ８）を超える場合であって、かつＩＳＯ感度が所定のＩＳＯ感度（４００）以下である場合に、補正部（ピントボケ補正部２３）に画像データの補正を実行させ、Ｆ値が所定の第１のＦ値（Ｆ２．８）を超えるとともに所定の第２のＦ値（Ｆ８）以下である場合であって、かつＩＳＯ感度が所定のＩＳＯ感度（４００）以下の場合に、画像データの補正量を所定の割り合に減じて補正部（ピントボケ補正部２３）に補正を実行させ、Ｆ値が所定の第１のＦ値（Ｆ２．８）以下であるかまたは所定の第２のＦ値（Ｆ８）を超える場合であって、かつＩＳＯ感度が所定のＩＳＯ感度（４００）を超える場合に、画像データの補正量を所定の割り合に減じて補正部（ピントボケ補正部２３）に補正を実行させ、Ｆ値が所定の第１のＦ値（Ｆ２．８）を超えるとともに所定の第２のＦ値（Ｆ８）以下の場合であって、かつＩＳＯ感度が所定のＩＳＯ感度（４００）を超える場合に、補正部（ピントボケ補正部２３）に画像データの補正を実行させない。
これにより、ＩＳＯ感度とＦ値とに応じて、ピントボケ補正を実行するか否かを制御することができる。
【００６７】
（１７）また、上記実施形態において、所定のＩＳＯ感度が、シャッタースピードに応じて設定される。
これにより、ＩＳＯ感度とＦ値とに応じて、ピントボケ補正を実行するか否かを制御することができるとともに、ピントボケ補正を実行するか否かを判定する基準（境界）となるＩＳＯ感度とＦ値とをシャッタースピードに応じて設定することができる。
【００６８】
（１８）また、上記実施形態において、上記所定の第１及び第２のＦ値と、所定のＩＳＯ感度とが、撮像素子１１の撮像面全体の反りの大きさに応じて設定される。
これにより、ピントボケ補正を行うか否かを判定する基準となる第１及び第２のＦ値と、ＩＳＯ感度とを、撮像素子１１の反り値の大きさに応じて設定することができる。
【００６９】
（１９）また、上記実施形態において、上記所定の第１及び第２のＦ値と、所定のＩＳＯ感度とが、撮像素子１１の撮像面全体の反りの大きさと、撮影レンズの種類とＦ値により決まる焦点ズレ量と、に応じて設定される。
これにより、ピントボケ補正を行うか否かを判定する基準となる第１及び第２のＦ値と、ＩＳＯ感度とを、撮像素子１１の反り値の範囲と、撮影レンズ１２の焦点ズレ量に応じて設定することができる。
【００７０】
（２０）また、上記実施形態において、上記画像データの補正が、シャープネスまたはアンシャープマスクにより行われる。
これにより、ピントボケ補正部２３においてピントボケ補正を実行する際に、よく知られたシャープネスやアンシャープマスクの手法を用いて、ピントボケ補正を行うことができる。
【００７１】
以上、本発明の実施の形態について説明したが、本発明の撮像装置は、上述の図示例にのみ限定されるものではなく、本発明の要旨を逸脱しない範囲内において種々変更を加え得ることは勿論である。
【符号の説明】
【００７２】
１０…撮像装置、１１…撮像素子、１１Ａ…撮像部、１２…撮影レンズ、１３…制御部、１４…記録部、１５…記憶部、１７…設定部、２０…信号処理用ＡＳＩＣ、２１…前処理部、２２…信号処理部、２３…ピントボケ補正部、３０…撮像素子パッケージ、３１…基板、３２…シール部材、３３…保護ガラス
【図１】
0005915238.tif 000002
【図２】
0005915238.tif 000003
【図３】
0005915238.tif 000004
【図４】
0005915238.tif 000005
【図５】
0005915238.tif 000006
【図６】
0005915238.tif 000007
【図７】
0005915238.tif 000008
【図８】
0005915238.tif 000009
【図９】
0005915238.tif 000010
【図１０】
0005915238.tif 000011
【図１１】
0005915238.tif 000012
【図１２】
0005915238.tif 000013